(57)【特許請求の範囲】
【請求項１】
被写体を撮像するためのレンズ及び撮像素子を有するデジタルカメラにおいて、
画像データを記録するためのメモリと、
得られた被写体信号に所定の画像処理を施す画像処理部と、
通常モードと色票モードとを含む設定モードであって、該設定モードに応じて前記画像処理を施すかどうかを選択する処理選択部と、
前記画像データを表示する画像表示手段と、を有し、
前記通常モードが選択されたときには、前記画像処理部による処理を行って前記画像データを前記メモリに記憶するとともに、前記色票モードが選択されたときには、前記画像表示手段によって色票を撮影するためのフレームを表示するとともに、前記画像処理部による処理を行わないで前記画像データを前記メモリに記憶することを特徴とするデジタルカメラ。
【請求項２】
前記所定の画像処理は、ホワイトバランス、エッジ強調、彩度強調、ガンマ補正のいずれかであることを特徴とする請求項１に記載のデジタルカメラ。
【請求項３】
色再現システムであって、
画像データを記録するためのメモリと、
得られた被写体信号に所定の画像処理を施す画像処理部と、
通常モードと色票モードとを含む設定モードであって、該設定モードに応じて前記画像処理を施すかどうかを選択する処理選択部と、
前記画像データを表示する画像表示手段と、
色補正手段と、を有し、
前記通常モードが選択されたときには、前記画像処理部による処理を行って前記画像データを前記メモリに記憶するとともに、前記色票モードが選択されたときには、前記画像表示手段によって複数のカラーパッチから構成される色票を撮影するためのフレームを表示するとともに、前記画像処理部による処理を行わないで前記画像データを前記メモリに記憶し、さらに前記色補正手段内で各カラーパッチを自動認識することを特徴とする色再現システム。
【請求項４】
前記所定の画像処理は、ホワイトバランス、エッジ強調、彩度強調、ガンマ補正のいずれかであることを特徴とする請求項３に記載の色再現システム。
【発明の詳細な説明】
【技術分野】
【０００１】
本発明は、デジタルカメラに関し、特に、カラー画像入力装置により撮影された被写体画像の色をモニタやプリンタ等のカラー画像出力装置により再現するデジタルカメラに関する。
【背景技術】
【０００２】
デジタルカメラにおける従来の色再現技術においては、ある程度正確な色再現を基本としながらも見た目に好ましい色の再現を目標とするものが大部分であった。そのためのカラー画像処理がカメラ内部で自動的に行われるため、ユーザーは出力画像に対して調整することなくある程度満足のゆく画像を得ることができる。
【０００３】
これに対して、特開平１１−８５９５２号公報は、正確な色再現を目的とした色再現システムを開示しており、ここでは被写体の撮影画像から、カメラの分光感度、撮影側の撮影照明光スペクトルデータ、再生側の観察照明光スペクトルデータ等を用いて、再生側の観察照明光下における被写体のＸＹＺ画像を求め、再生装置の色再現特性に応じてＸＹＺ画像を再生装置の信号値に変換して出力している。
【０００４】
また、特開平１１−９６３３３号公報では、被写体の撮影と同一条件において分光反射率が既知の色票を撮影し、この色票の分光反射率とその撮影信号とを用いることにより、カメラの分光感度、撮影照明光スペクトルデータがない場合でも正確な色再現を行う方法を開示している。これらの方法では被写体の撮影画像は、カメラの分光感度と被写体のカメラへの入射光スペクトルとの積の波長積分でモデル化されるものであるか、もしくはそのようなデータにキャリブレーションを施すことが可能なものでなければならない。
【０００５】
特開平１０−２８５５４１号公報では、電子スチルカメラの記録媒体（メモリカード）に画像データを記録する際に、撮影画像データの他に撮影画像データに対して行われたホワイトバランスやガンマ補正などの画像処理情報も同時に記録し、正確な色再現を行う際には画像処理の逆の手順で復元処理を行うことにより画像処理前の画像信号を得て、表示モニタ装置の表示特性に応じた画像補正処理を行っている。
【先行技術文献】
【特許文献】
【０００６】
【特許文献１】特開平１１−８５９５２号公報
【特許文献２】特開平１１−９６３３３号公報
【特許文献３】特開平１０−２８５５４１号公報
【発明の概要】
【発明が解決しようとする課題】
【０００７】
上記したように特開平１１−８５９５２号公報及び特開平１１−９６３３３号公報に開示されているような色再現方法では、輪郭強調等の画像処理が行われていない撮影画像データに対して色再現のための処理を行う必要がある。また、正確な色再現を行うためにはカメラの分光感度、撮影照明光スペクトル、観察照明光スペクトル等のデータが必要であり、撮影画像データに対応したこれらのデータを色再現処理において用いるようにしなければならない。
【０００８】
また、特開平１０−２８５５４１号公報に開示されている方法では、画像データの記録・復元処理においてホワイトバランスやシェーディング処理、ガンマ補正などの画像処理を行ってからメモリカードに記録し、逆の手順で復元処理を行うことで当該画像処理が行われていない撮影画像データを得ている。しかし正確な色再現を目的とした画像処理にはホワイトバランスやガンマ補正などの画像処理は本来不要なものであり、復元不可能な処理が行われることもあり得る。また、撮影条件の異なる画像データに対して色再現に必要となる種々のデータを対応させることは煩雑な作業であり、正確にデータの対応が行えなくなる場合もあり得る。
【０００９】
本発明はこのような課題に着目してなされたものであり、その目的とするところは、色再現処理の形態に応じて、入力された画像データに対して所定の画像処理を施すか否かを選択できるデジタルカメラを提供することにある。
【課題を解決するための手段】
【００１０】
上記の目的を達成するために、本発明の第１の態様に係るデジタルカメラは、被写体を撮像するためのレンズ及び撮像素子を有するデジタルカメラにおいて、画像データを記録するためのメモリと、得られた被写体信号に所定の画像処理を施す画像処理部と、通常モードと色票モードとを含む設定モードであって、該設定モードに応じて前記画像処理を施すかどうかを選択する処理選択部と、前記画像データを表示する画像表示手段と、を有し、前記通常モードが選択されたときには、前記画像処理部による処理を行って前記画像データを前記メモリに記憶するとともに、前記色票モードが選択されたときには、前記画像表示手段によって色票を撮影するためのフレームを表示するとともに、前記画像処理部による処理を行わないで前記画像データを前記メモリに記憶する。
【００１１】
また、本発明の第２の態様に係るデジタルカメラは、第１の態様に係るデジタルカメラにおいて、前記所定の画像処理は、ホワイトバランス、エッジ強調、彩度強調、ガンマ補正のいずれかである。
【００１２】
また、本発明の第３の態様に係る色再現システムは、画像データを記録するためのメモリと、得られた被写体信号に所定の画像処理を施す画像処理部と、通常モードと色票モードとを含む設定モードであって、該設定モードに応じて前記画像処理を施すかどうかを選択する処理選択部と、前記画像データを表示する画像表示手段と、色補正手段と、を有し、前記通常モードが選択されたときには、前記画像処理部による処理を行って前記画像データを前記メモリに記憶するとともに、前記色票モードが選択されたときには、前記画像表示手段によって複数のカラーパッチから構成される色票を撮影するためのフレームを表示するとともに、前記画像処理部による処理を行わないで前記画像データを前記メモリに記憶し、さらに前記色補正手段内で各カラーパッチを自動認識する。
【００１３】
また、本発明の第４の態様に係る色再現システムは、第３の態様に係る色再現システムにおいて、前記所定の画像処理は、ホワイトバランス、エッジ強調、彩度強調、ガンマ補正のいずれかである。
【発明の効果】
【００１７】
本発明によれば、色再現処理の形態に応じて、入力された画像データに対して所定の画像処理を施すか否かを選択できる。
【図面の簡単な説明】
【００１８】
【図１】本発明の第１実施形態に係る色再現システムの構成を示す図である。
【図２】図１に示すデジタルカメラの構成を示す図である。
【図３】メモリカードのデータ構造を示す図である。
【図４】本発明の第２実施形態に係る色再現システムの構成を示す図である。
【図５】図４に示すデジタルカメラの構成を示す図である。
【図６】（Ａ）は色再現モードにおけるメモリカードのデータ構造を示す図であり、（Ｂ）は色票モードにおけるメモリカードのデータ構造を示す図である。
【図７】設定モードが色票モードの場合に、被写体画像上に重ねて色票の構成に対応した色票ガイドを液晶ファインダ２１５に表示したようすを示す図である。
【図８】色票の構成例を示す図である。
【図９】本発明の第３実施形態に係る色再現システムにおけるデジタルカメラの構成を示す図である。
【図１０】色再現モードにおけるメモリカードのデータ構造を示す図である。
【発明を実施するための形態】
【００１９】
以下、図面を参照して本発明の実施形態を詳細に説明する。
【００２０】
（第一実施形態）
図１〜３に本発明の色再現システムの第一実施形態を示す。図１に示すように、本実施形態の色再現システムは、デジタルカメラ１００と、メモリカード１２０と、色補正装置１３０と、ＣＲＴモニタ１４０とから構成される。デジタルカメラ１００により撮影された被写体５０のカラー画像データとしての撮影画像データは、撮影に先立ってカメラ本体に挿入されたメモリカード１２０に記憶される。
【００２１】
図２に上記したデジタルカメラ１００の構成を示す。被写体像はレンズ１０４を通してＣＣＤ１０９上に結像され、ＣＣＤ１０９から出力されたアナログ信号はＡ／Ｄ変換器（Ａ／Ｄ）１１０を通してデジタル化された後に、撮影画像データとして処理選択装置１１１に入力される。処理選択装置１１１では色再現モード設定装置１０３からのモード設定に関するデータに基づいて処理の選択を行う。設定モードは色再現モードと通常モードとからなり、色再現モードは正確な色再現を目的とし、通常モードは予め設定されている好ましい色再現を目的とする。
【００２２】
設定モードが通常モードの場合には、撮影画像データは、画像処理装置１１２で所定の画像処理が施された後にフレームメモリ（Ｆ／Ｍ）１１３を介してメモリカード１２０に記憶される。ここで画像処理装置１１２での所定の画像処理は、好ましい色再現のために、ホワイトバランス、エッジ強調、彩度強調、ガンマ補正を含む。
【００２３】
また、設定モードが色再現モードの場合には、撮影画像データは画像処理装置１１２で処理が施されることなしにフレームメモリ１１３を介してメモリカード１２０に記憶される。
【００２４】
また、カメラ分光感度データ記憶装置１０５からカメラ分光感度データが、撮影照明光スペクトルデータ記憶装置１０６から撮影照明光情報としての撮影照明光スペクトルデータが、被写体分光反射率基底関数データ記憶装置１０７から被写体の分光特性情報としての被写体分光反射率基底関数データがそれぞれ読み出されてメモリカード１２０に記憶される。ここで、撮影照明光スペクトルデータは撮影照明光スペクトルデータ記憶装置１０６に記憶されている複数の照明光スペクトルデータの中から予め撮影照明光設定装置１０１により設定されたデータが選択されたものである。
【００２５】
撮影照明光スペクトルデータ記憶装置１０６に記憶されている撮影照明光スペクトルデータは、昼光、蛍光燈、ハロゲンランプ等を含む複数の光源のスペクトル測定データである。同様に、被写体分光反射率基底関数データは被写体分光反射率基底関数データ記憶装置１０７に記憶されている複数の被写体分光反射率基底関数データの中から予め被写体特性設定装置１０２により設定されたデータが選択されたものである。被写体分光反射率基底関数データ記憶装置１０７に記憶されている被写体分光反射率基底関数データは、人肌、色票、花、絵画等を含む複数の被写体の分光反射率の基底関数データである。
【００２６】
設定モードが通常モードの場合にはメモリカード１２０には所定フォーマットにて撮影画像データと画像のデータサイズ等のフォーマットに応じて必要となる関連情報とが記憶される。また、設定モードが色再現モードの場合には、メモリカード１２０には図３に示すように、ヘッダ情報１５０、カメラ分光感度データ１５１、撮影照明光スペクトルデータ１５２、被写体分光反射率基底関数データ１５３が撮影画像データ１５４とともに各撮影画像ごとに記憶される。
【００２７】
色補正装置１３０ではメモリカード１２０から読み出して得られる撮影画像データとカメラ分光感度データ、撮影照明光スペクトルデータ、被写体分光反射率基底関数データと、予め色補正装置１３０内部に記憶されている観察照明光情報としての観察照明光スペクトルデータ、等色関数データとから被写体の観察照明光下におけるＸＹＺを推定し、さらにＣＲＴモニタプロファイルデータとから観察側照明光下における被写体のＸＹＺをＣＲＴモニタ１４０上に表示するためにＣＲＴモニタ１４０への入力ＲＧＢ信号を算出して出力する。
【００２８】
ＣＲＴモニタ１４０は色補正装置１３０により出力されたＲＧＢ信号を入力し、被写体５０の撮影画像データを表示する。なお、全ての分光特性データは、３８０nmから７８０nm までの波長領域において１nm間隔でデータをもっている。色補正装置１３０の構成およびその動作については特開平１１−８５９５２号公報に詳細に記述されているのでここでは説明は省略する。
【００２９】
（第二実施形態）
図４〜７に本発明の色再現システムの第二実施形態を示す。図４に示すように本実施形態の色再現システムは、キャリブレーション用の色票６０と、デジタルカメラ２００と、メモリカード２２０と、色補正装置２３０と、ＣＲＴモニタ２４０とから構成される。デジタルカメラ２００により撮影された被写体５０の撮影画像データは撮影に先立ってカメラ本体に挿入されたメモリカード２２０に記憶される。
【００３０】
図５に上記したデジタルカメラ２００の構成を示す。被写体像はレンズ２０４を通してＣＣＤ２０９上に結像され、ＣＣＤ２０９から出力されたアナログ信号はＡ／Ｄ変換器（Ａ／Ｄ）２１０を通してデジタル化された後に撮影画像データとして処理選択装置２１１に入力される。
【００３１】
処理選択装置２１１ではメモリカード２２０に記憶されているモード設定に関するデータに基づいて処理の選択を行う。設定モードは色再現モードと通常モードと色票モードとからなり、色再現モードは正確な色再現を目的とし、通常モードは予め設定されている好ましい色再現を目的とする。また、色票モードは撮影照明光とカメラ分光感度のキャリブレーションデータを取得するための設定であり、色再現モードによる被写体の撮影後に自動的に色票モードとなる。
【００３２】
設定モードが通常モードの場合には、撮影画像データは画像処理装置２１２で所定の画像処理が施された後に、フレームメモリ（Ｆ／Ｍ）２１３を介してメモリカード２２０に記憶される。ここで画像処理装置２１２での処理の画像処理は、ホワイトバランス、エッジ強調、彩度強調、ガンマ補正を含む。
【００３３】
また、設定モードが色再現モードの場合には、撮影画像データは画像処理装置２１２で処理が施されることなしにフレームメモリ２１３を介してメモリカード２２０に記憶される。
【００３４】
また、カメラ分光感度データ記憶装置２０５からカメラ分光感度データが、撮影照明光スペクトルデータ記憶装置２０６から撮影照明光情報としての撮影照明光スペクトルデータが、被写体分光反射率基底関数データ記憶装置２０７から被写体の分光特性情報としての被写体分光反射率基底関数データがそれぞれ読み出されてメモリカード２２０に記憶される。ここで、撮影照明光スペクトルデータは撮影照明光スペクトルデータ記憶装置２０６に記憶されている複数の照明光スペクトルデータの中から予め撮影照明光設定装置２０１により設定されたデータが選択されたものである。
【００３５】
撮影照明光スペクトルデータ記憶装置２０６に記憶されている撮影照明光スペクトルデータは、昼光、蛍光燈、ハロゲンランプ等を含む複数の光源のスペクトル測定データである。同様に、被写体分光反射率基底関数データは被写体分光反射率基底関数データ記憶装置２０７に記憶されている複数の被写体分光反射率基底関数データの中から予め被写体特性設定装置２０２により設定されたデータが選択されたものである。被写体分光反射率基底関数データ記憶装置２０７に記憶されている被写体分光反射率基底関数データは、人肌、色票、花、絵画等を含む複数の被写体のカテゴリーの分光反射率の基底関数データである。
【００３６】
メモリカード２２０に記憶される被写体分光反射率基底関数データはメモリカード２２０がデジタルカメラ２００に挿入される前に予め記憶されているようにしてもよい。この場合、メモリカード２２０に記憶されている被写体分光反射率基底関数データは被写体の種類に応じて特定の対象物のデータだけでも複数の種類の対象物についてのデータを記憶していてもよい。特定対象物の被写体分光反射率基底関数データが記憶されている場合には、記憶されている被写体分光反射率基底関数データの種類に応じた専用メモリカードとして使用される。
【００３７】
設定モードが通常モードの場合には、メモリカード２２０には所定フォーマットにて撮影画像データと画像のデータサイズ等のフォーマットに応じて必要となる関連情報とが記憶される。一方、設定モードが色再現モードの場合には、メモリカード２２０には図６（Ａ）に示すように、ヘッダ情報２５０、カメラ分光感度データ２５１、撮影照明光スペクトルデータ２５２、被写体分光反射率基底関数データ２５３が被写体の撮影画像データ２５４とともに各撮影画像ごとに記憶される。カメラ分光感度データ、撮影照明光スペクトルデータ、被写体分光反射率基底関数データが設定されていない場合これらのデータはメモリカード２２０に記憶されない。
【００３８】
また、設定モードが色票モードの場合には図７（Ａ）、７（Ｂ）に示すように、撮影画像データ上に重ねて色票の構成に対応した色票ガイド（図７（Ａ）では色票ガイド１、図７（Ｂ）では色票ガイド２）が液晶ファインダ２１５に表示される。
【００３９】
図８の（Ａ）〜（Ｇ）は色票の例を示している。
【００４０】
色票モード時の色票の撮影画像データは画像処理装置２１２で処理が施されることなしにフレームメモリ（Ｆ／Ｍ）２１３を介してメモリカード２２０に記憶される。図６（Ｂ）は色票モード時にメモリカード２２０に記憶されるデータの構造を示している。
【００４１】
色補正装置２３０ではメモリカード２２０から読み出して得られる撮影画像データとカメラ分光感度データ、撮影照明光スペクトルデータ、被写体分光反射率基底関数データと、予め色補正装置２３０内部に記憶されている観察照明光情報としての観察照明光スペクトルデータ、等色関数データとから被写体の観察照明光下におけるＸＹＺを推定し、さらにＣＲＴモニタプロファイルデータとから観察側照明光下における被写体のＸＹＺをＣＲＴモニタ２４０上に表示するためのＣＲＴモニタ２４０への入力ＲＧＢ信号を出力する。ＣＲＴモニタ２４０は色補正装置２３０により出力されたＲＧＢ信号を入力し、被写体のカラー画像を表示する。なお、全ての分光特性データは、３８０nmから７８０nm までの波長領域において１nm間隔でデータをもっている。
【００４２】
色補正装置２３０の構成およびその動作については特開平１１−８５９５２号公報に詳細に記述されているのでここではその説明は省略する。
【００４３】
また、撮影画像データファイルにカメラ分光感度と撮影照明光スペクトルのいずれかもしくは両方が記憶されていない場合には色票６０の撮影画像データと予め色補正装置２３０内に記憶している色票の分光反射率データを用いることにより代用することができる。色票６０の画像データは色補正装置２３０内において、その各パッチが自動認識され、各パッチの撮影信号の平均値が算出される。色票６０の画像データのファイルと被写体の撮影画像データのファイルはそれぞれのヘッダ情報に記憶された撮影番号により対応づけることができるようになっている。この場合の色補正装置２３０の構成およびその動作については特開平１１−９６３３３号公報に詳細に記述されているのでここではその説明は省略する。
【００４４】
（第三実施形態）
図９、図１０に本発明の色再現システムの第三実施形態を示す。本実施形態の色再現システムは、第二実施形態と同様に、キャリブレーション用の色票、デジタルカメラ、メモリカード、色補正装置、ＣＲＴモニタとから構成される。デジタルカメラにより撮影された被写体の撮影画像データは撮影に先立ってカメラ本体に挿入されたメモリカードに記憶される。
【００４５】
図９にデジタルカメラの構成を示す。被写体像はレンズ３０４を通してＣＣＤ３０９上に結像され、ＣＣＤ３０９から出力されたアナログ信号はＡ／Ｄ変換器（Ａ／Ｄ）３１０を通してデジタル化された後に撮影画像データとして処理選択装置３１１に入力される。処理選択装置３１１ではメモリカード３２０に記憶されているモード設定に関するデータに基づいて処理の選択を行う。
【００４６】
設定モードは色再現モードと通常モードと色票モードとからなり、色再現モードは正確な色再現を目的とし、通常モードは予め設定されている好ましい色再現を目的とする。また、色票モードは撮影照明光とカメラ分光感度のキャリブレーションデータを取得するための設定であり、色再現モードによる被写体の撮影後に自動的に色票モードとなる。
【００４７】
設定モードが通常モードの場合には、撮影画像データは画像処理装置３１２で所定の画像処理が施された後に、フレームメモリ（Ｆ／Ｍ）３１３を介してメモリカード３２０に記憶される。ここで画像処理装置３１２での処理の画像処理は、ホワイトバランス、エッジ強調、彩度強調、ガンマ補正を含む。
【００４８】
また、設定モードが色再現モードの場合には、撮影画像データは画像処理装置３１２で処理が施されることなしにフレームメモリ３１３を介してメモリカード３２０に記憶される。
【００４９】
また、カメラ分光感度データ記憶装置３０５からカメラ分光感度データが、撮影照明光スペクトルデータ記憶装置３０６から撮影照明光情報としての撮影照明光スペクトル番号が、被写体分光反射率基底関数データ記憶装置３０７から被写体の分光特性情報としての被写体分光反射率基底関数番号がそれぞれ読み出されてメモリカード３２０に記憶される。ここで、撮影照明光スペクトルデータは撮影照明光スペクトルデータ記憶装置３０６に記憶されている複数の照明光スペクトル番号の中から予め撮影照明光設定装置３０１により設定されたデータが選択されたものである。
【００５０】
撮影照明光スペクトルデータ記憶装置３０６に記憶されている撮影照明光スペクトル番号は、昼光、蛍光燈、ハロゲンランプ等を含む複数の光源のスペクトル測定データの登録番号である。同様に、被写体分光反射率基底関数番号は被写体分光反射率基底関数データ記憶装置３０７に記憶されている複数の被写体分光反射率基底関数番号の中から予め被写体特性設定装置３０２により設定された番号が選択されたものである。
【００５１】
被写体分光反射率基底関数データ記憶装置３０７に記憶されている被写体分光反射率基底関数番号は、人肌、色票、花、絵画等を含む複数の被写体の分光反射率の基底関数の登録番号である。設定モードが通常モードの場合にはメモリカード３２０には所定フォーマットにて撮影画像データとフォーマットに応じた関連情報とが記憶される。設定モードが色再現モードの場合には、メモリカード３２０には撮影画像データとともにヘッダ情報、カメラ分光感度データ、撮影照明光スペクトル番号、被写体分光反射率基底関数番号が各撮影画像ごとに記憶される。カメラ分光感度データ、撮影照明光スペクトル番号、被写体分光反射率基底関数番号が設定されていない場合これらのデータはメモリカード３２０に記憶されない。
【００５２】
図１０は色再現モードの場合のメモリカードに記憶されるデータの構造を示しており、ヘッダ情報３５０、カメラ分光感度データ３５１、撮影照明光スペクトル番号３５２、被写体分光反射率基底関数番号３５３、観察照明光スペクトルデータ３５４、色票撮影信号３５５、撮影画像データ３５６からなる。
【００５３】
また、設定モードが色票モードの場合には、液晶ファインダ３１５に被写体画像に重ねて色票の構成に対応した色票ガイドが表示される。色票の撮影画像データは色票処理装置３１６に入力される。色票処理装置３１６では処理選択装置３１１から入力した色票の撮影画像データから色票内の各パッチを自動認識し、各パッチの撮影信号の平均値を算出してメモリカード３２０に記憶する。色票の自動認識が正しく行われているか否かは液晶ファインダ３１５上の色票撮影画像の各パッチに信号値の平均領域を表示することにより目視確認することができる。
【００５４】
色補正装置ではメモリカード３２０から読み出して得られる撮影画像データとカメラ分光感度データ、撮影照明光スペクトル番号に対応する撮影照明光スペクトルデータ、被写体分光反射率基底関数番号に対応する被写体分光反射率基底関数データと、予めメモリカード３２０に記憶されている観察照明光情報としての観察照明光スペクトルデータ、予め色補正装置内部に記憶されている等色関数データとから被写体の観察照明光下におけるＸＹＺを推定し、さらにＣＲＴモニタプロファイルデータとから観察側照明光下における被写体のＸＹＺをＣＲＴモニタ上に表示するためのＣＲＴモニタへの入力ＲＧＢ信号を出力する。
【００５５】
撮影照明光スペクトルデータと被写体分光反射率基底関数データは予め色補正装置内にその登録番号と対応させて記憶されているものとする。ＣＲＴモニタは色補正装置により出力されたＲＧＢ信号を入力し、被写体のカラー画像を表示する。なお、全ての分光特性データは、３８０nmから７８０nm までの波長領域において１nm間隔でデータをもっている。
【００５６】
色補正装置の構成およびその動作については特開平１１−８５９５２に詳細に記述されているのでここではその説明は省略する。また、撮影画像データファイルにカメラ分光感度と撮影照明光スペクトルのいずれかもしくは両方が記憶されていない場合には色票撮影信号と予め色補正装置内に記憶されている色票の分光反射率データを用いることにより代用することができる。この場合の色補正装置の構成およびその動作については特開平１１−９６３３３に詳細に記述されているのでここではその説明は省略する。
【００５７】
なお、上記した実施形態では、カメラ分光感度データ、撮影照明光スペクトルデータ、被写体分光反射率基底関数データを各撮影画像データに付加した状態で記憶しているが、これに限定されることはなく、これらのデータを色補正処理装置における色補正処理を行う際に与えるようにしてもよい。
【００５８】
上記した具体的実施形態から以下のような構成の発明が抽出される。
【００５９】
１．カラー画像入力手段と、
上記カラー画像入力手段により入力されたカラー画像データに所定の処理を施す画像処理装置を有するカラー画像処理装置と、
上記カラー画像入力信号により入力されたカラー画像データを記憶する記憶手段と、
この記憶手段に記憶されたカラー画像データを出力するカラー画像出力手段と、
を具備する色再現システムであって、
上記カラー画像処理装置は、上記カラー画像入力手段により入力されたカラー画像データに上記所定の処理を施すか否かを選択する処理選択手段を更に具備することを特徴とする色再現システム。
【００６０】
（対応する発明の実施の形態）
この発明には、上記した第一実施形態（図１〜３）と第二実施形態（図４〜８）と第三実施形態（図９〜１０）とが対応する。
【００６１】
カラー画像入力手段は第一、第二、第三の実施形態におけるデジタルカメラ100,200,300のＣＣＤ109,209,309とＡ／Ｄ変換器110,210,310とカメラ分光感度データ記憶装置105,205,305と撮影照明光スペクトルデータ記憶装置106,206,306と被写体分光反射率基底関数データ記憶装置107,207,307を含み、画像処理装置は画像処理装置112,212,312を含み、カラー画像処理装置は処理選択装置111,211,311と画像処理装置112,212,312を含み、記憶手段はメモリカード120,220,320を含み、カラー画像出力手段はＣＲＴモニタ140,240を含み、処理選択手段は処理選択装置111,211,311を含む。
【００６２】
（効果）
色再現処理の形態に応じて、入力されたカラー画像データに対して所定の画像処理を施すか否かを選択できる。ここでは色再現モードと通常モードとを選択できるようにしたので、１つのカラー画像入力手段により正確な色再現を行うための画像と好ましい色再現処理の施された画像のいずれかを選択して得ることができる。
【００６３】
２．上記処理選択手段は、上記カラー画像入力手段によるカラー画像データの入力時に上記所定の処理を施すか否かを設定する設定手段を有することを特徴とする１．に記載の色再現システム。
【００６４】
（対応する発明の実施の形態）
この発明には、上記した第一実施形態（図１〜３）が対応する。設定手段は第一実施形態における色再現モード設定装置103を含む。
【００６５】
（効果）
カラー画像入力手段に設定手段を設けることにより、撮影ごとに正確な色再現を行うための画像と好ましい色再現処理の施された画像のいづれかを画像入力時に選択して得ることができる。
【００６６】
３．上記記憶手段はモード設定に関するデータを記憶しており、上記処理選択手段は、上記記憶手段に記憶されたモード設定に関するデータに基づいて上記所定の処理を施すか否かを決定することを特徴とする１．に記載の色再現システム。
【００６７】
４．上記記憶手段はメモリカードであることを特徴とする１．〜３．のいずれか１つに記載の色再現システム。
【００６８】
（対応する発明の実施の形態）
この発明には、上記した第二実施形態（図４〜８）及び第三実施形態（図９〜１０）が対応する。カラー画像入力手段は第二、第三実施形態におけるデジタルカメラ200,300のＣＣＤ209,309とＡ／Ｄ変換器210,310とカメラ分光感度データ記憶装置205,305と撮影照明光スペクトルデータ記憶装置206,306と被写体分光反射率基底関数データ記憶装置207,307を含み、画像処理装置は画像処理装置212,312を含み、カラー画像処理装置は処理選択装置211,311と画像処理装置212,312を含み、記憶手段はメモリカード220,320を含み、カラー画像出力手段はＣＲＴモニタ240を含み、処理選択手段は処理選択装置211,311を含む。
【００６９】
（効果）
色再現モードあるいは通常モードの選択がデジタルカメラに挿入されたメモリカードに記憶されたモード設定に関するデータに基づいて自動的に決定されるので、撮影者はメモリカードの挿入後、モード設定を意識することなく撮影を行うことができる。また、多くの場合好ましい色再現を行うデジタルカメラにおいて、正確な色再現のために色再現モード設定機能のような特別な構成をとらずに正確な色再現用の撮影画像データを取り出すことができる。
【００７０】
５．上記記憶手段は被写体の分光特性情報を記憶していることを特徴とする１．〜４．のいずれか１つに記載の色再現システム。
【００７１】
６．上記メモリカードは被写体の種類に応じた被写体の分光特性情報を予め記憶していることを特徴とする４．に記載の色再現システム。
【００７２】
７．上記カラー画像入力手段は上記被写体の分光特性情報を設定する被写体特性設定手段を更に具備することを特徴とする５．に記載の色再現システム。
【００７３】
（対応する発明の実施の形態）
この発明には、上記した第一実施形態（図１〜３）及び第二実施形態（図４〜８）及び第三実施形態（図９〜１０）が対応する。被写体特性設定手段は第一、第二、第三の実施形態における被写体特性設定装置102,202,302を含む。
【００７４】
（効果）
被写体分光反射率基底関数データを撮影画像データとともに記憶するようにしたので、色補正装置において被写体分光反射率基底関数データを得ることができない場合でも色補正処理が行える。また、撮影する被写体ごとに被写体分光反射率基底関数データを変えることにより色補正装置による色再現をより正確に行うことが可能となる。また、被写体の種類に応じた被写体分光反射率基底関数データを予めメモリカードに記憶しておくことにより、カメラ内に被写体分光反射率基底関数データを記憶しておく必要がなくなるかもしくはデータ量を削減することができる。
【００７５】
８．上記記憶手段は撮影照明光情報をさらに記憶していることを特徴とする１．〜７．のいずれか１つに記載の色再現システム。
【００７６】
９．上記カラー画像入力手段は上記撮影照明光情報を設定する撮影照明光設定手段を更に具備することを特徴とする８．に記載の色再現システム。
【００７７】
（対応する発明の実施の形態）
この発明には、上記した第一実施形態（図１〜３）及び第二実施形態（図４〜８）及び第三実施形態（図９〜１０）が対応する。撮影照明光設定手段は第一、第二、第三の実施形態における撮影照明光設定装置101,201,301を含む。なお、色票の撮影画像データが得られる場合には色票の撮影が撮影照明光設定手段となる。
【００７８】
（効果）
撮影照明光スペクトルデータを撮影画像データとともに記憶するようにしたので、色補正装置において撮影照明光スペクトルデータを得ることができない場合でも色補正処理が行える。また、撮影する照明条件ごとに撮影照明光スペクトルデータを変えることにより色補正装置による色再現をより正確に行うことが可能となる。
【００７９】
１０．上記処理選択手段は、キャリブレーション用色票の撮影モードを有し、上記カラー画像入力手段はファインダを更に有し、このファインダは上記キャリブレーション用色票の撮影モード時において色票撮影用フレームを表示することを特徴とする１．〜９．のいずれか１つに記載の色再現システム。
【００８０】
（対応する発明の実施の形態）
この発明には、第二実施形態（図４〜８）及び第三実施形態（図９〜１０）が対応する。第二、第三の実施形態において、キャリブレーション用色票の撮影モードは色票モード、ファインダは液晶ファインダ215,315、色票撮影用フレームは色票ガイド１，２をそれぞれ含む。
【００８１】
（効果）
キャリブレーション用色票の撮影時にファインダーに色票撮影用フレームを表示し、色票撮影用フレームに合わせて色票を配置して撮影するようにしたので、色票を正しい配置にて撮影することができる。また、色票の撮影画像データから色票を構成する各パッチの位置を正しく認識して撮影信号値を自動算出することが容易になる。
【００８２】
１１．上記画像処理装置による所定の処理はホワイトバランス、エッジ強調、彩度強調、ガンマ補正、好ましい色再現を目的とした色補正のうちの少なくとも１つを含むことを特徴とする１．〜１０．のいずれか１つに記載の色再現システム。
【００８３】
（対応する発明の実施の形態）
この発明には、上記した第一実施形態（図１〜３）及び第二実施形態（図４〜８）及び第三実施形態（図９〜１０）が対応する。
【００８４】
（効果）
色再現モード時は、ホワイトバランス、エッジ強調、彩度強調、ガンマ補正、好ましい色再現を目的とした色補正のような、逆補正により処理前の画像データに戻すことが難しいかもしくは不可能な処理を行わないようにすることができるので、後段の色補正装置における正確な色再現を高精度に行うことができる。
【００８５】
１２．上記記憶手段は観察照明光情報をさらに記憶していることを特徴とする１．〜１１．のいずれか１つに記載の色再現システム。
【００８６】
（対応する発明の実施の形態）
この発明には、上記した第三実施形態（図９〜１０）が対応する。
【００８７】
（効果）
記憶手段に観察照明光情報を記憶するようにしたので色再現モード時に観察照明光情報を与える必要がなくなる。
【符号の説明】
【００８８】
５０…被写体、
１００…デジタルカメラ、
１０１…撮影照明光設定装置、
１０２…被写体特性設定装置、
１０３…色再現モード設定装置、
１０４…レンズ、
１０５…カメラ分光感度データ記憶装置、
１０６…撮影照明光スペクトルデータ記憶装置、
１０７…被写体分光反射率基底関数データ記憶装置、
１０９…ＣＣＤ、
１１０…Ａ／Ｄ変換器、
１１１…処理選択装置、
１１２…画像処理装置、
１１３…Ｆ／Ｍ（フレームメモリ）、
１２０…メモリカード、
１３０…色補正装置、
１４０…ＣＲＴモニタ、
１５０…ヘッダ情報、
１５１…カメラ分光感度データ、
１５２…撮影照明光スペクトルデータ、
１５３…被写体分光反射率基底関数データ、
１５４…撮影画像データ。
【図１】
0004744628.tif 000002
【図２】
0004744628.tif 000003
【図３】
0004744628.tif 000004
【図４】
0004744628.tif 000005
【図５】
0004744628.tif 000006
【図６】
0004744628.tif 000007
【図７】
0004744628.tif 000008
【図８】
0004744628.tif 000009
【図９】
0004744628.tif 000010
【図１０】
0004744628.tif 000011